(57)【要約】【課題】複数のエコーの融合を精度良く検出する。【解決手段】追尾装置は、追尾データベースと融合判定部とを備える。追尾データベースは、複数の追尾点を記憶している。融合判定部は、追尾データベースに記憶されている複数の追尾点と、物標を表す複数のエコーデータによって構成される検出エコーと、を用いて、複数の検出エコーの融合を判定する。【選択図】  図１
2020056702.tif 000002
【特許請求の範囲】
【請求項１】
複数の追尾点を記憶する追尾データベースと、
前記追尾データベースに記憶されている複数の追尾点と、物標を表す複数のエコーデータによって構成される検出エコーと、を用いて、複数の前記検出エコーの融合を判定する融合判定部と、
を備える、追尾装置。
【請求項２】
請求項１に記載の追尾装置であって、
前記融合判定部は、
前記複数の追尾点の内、１つの前記検出エコーの領域内に存在する追尾点の個数が複数であると、前記融合があると判定する、
追尾装置。
【請求項３】
請求項１または請求項２に記載の追尾装置であって、
前記融合判定部は、
前記複数の追尾点の内、１つの前記検出エコーの領域内に存在する追尾点の個数が１であると、前記融合が無いと判定する、
追尾装置。
【請求項４】
請求項１乃至請求項３のいずれかに記載の追尾装置であって、
前記検出エコーの外枠を検出する外枠検出部を備え、
前記融合判定部は、
前記追尾データベースに記憶されている複数の追尾点と、前記外枠と、を用いて、複数の前記検出エコーの融合を判定する、
追尾装置。
【請求項５】
請求項１乃至請求項４のいずれかに記載の追尾装置であって、
前記融合の判定結果を用いて、前記追尾点に関連する追尾情報を生成する追尾情報生成部を備える、
追尾装置。
【請求項６】
請求項５に記載の追尾装置であって、
前記追尾データベースは、前記追尾情報生成部から出力される前記追尾情報によって更新される、
追尾装置。
【請求項７】
複数の追尾点を記憶しておき、
予め記憶されている複数の追尾点と、物標を表す複数のエコーデータによって構成される検出エコーと、を用いて、複数の前記検出エコーの融合を判定する、
追尾方法。
【請求項８】
請求項７に記載の追尾方法であって、
前記複数の追尾点の内、１つの前記検出エコーの領域内に存在する追尾点の個数が複数であると、前記融合があると判定する、
追尾方法。
【請求項９】
請求項７または請求項８に記載の追尾方法であって、
前記複数の追尾点の内、１つの前記検出エコーの領域内に存在する追尾点の個数が１であると、前記融合が無いと判定する、
追尾方法。
【請求項１０】
請求項７乃至請求項９のいずれかに記載の追尾方法であって、
前記検出エコーの外枠を検出し、
前記予め記憶されている複数の追尾点と、前記外枠と、を用いて、複数の前記検出エコーの融合を判定する、
追尾方法。
【請求項１１】
複数の追尾点を記憶しておき、
予め記憶されている複数の追尾点と、物標を表す複数のエコーデータによって構成される検出エコーと、を用いて、複数の前記検出エコーの融合を判定する、
処理を演算処理装置に実行させる追尾プログラム。
【請求項１２】
請求項１１に記載の追尾プログラムであって、
前記複数の追尾点の内、１つの前記検出エコーの領域内に存在する追尾点の個数が複数であると、前記融合があると判定する、
処理を演算処理装置に実行させる追尾プログラム。
【請求項１３】
請求項１１または請求項１２に記載の追尾プログラムであって、
前記複数の追尾点の内、１つの前記検出エコーの領域内に存在する追尾点の個数が１であると、前記融合が無いと判定する、
処理を演算処理装置に実行させる追尾プログラム。
【請求項１４】
請求項１１乃至請求項１３のいずれかに記載の追尾プログラムであって、
前記検出エコーの外枠を検出し、
前記予め記憶されている複数の追尾点と、前記外枠と、を用いて、複数の前記検出エコーの融合を判定する、
処理を演算処理装置に実行させる追尾プログラム。
【発明の詳細な説明】
【技術分野】
【０００１】
本発明は、レーダのエコーを用いた物標の追尾技術、特に、エコーの融合時の物標の追尾技術に関する。
【背景技術】
【０００２】
従来、例えば、特許文献１、２に示すように、レーダのエコーを用いて、所望の物標を追尾する装置が考案されている。
【０００３】
特許文献１、２に示すように、従来のレーダ装置は、エコーの代表点を検出し、当該代表点を追尾点として設定する。そして、従来のレーダ装置は、経時的に取得する複数時刻の追尾点を用いることで、物標の追尾を行う。
【先行技術文献】
【特許文献】
【０００４】
【特許文献１】特許第３６２９３２８号公報
【特許文献２】特開２０１４−８９０５９号公報
【発明の概要】
【発明が解決しようとする課題】
【０００５】
しかしながら、従来のレーダ装置は、複数の追尾点が近接する時に、追尾を誤ってしまうことがある。より具体的には、各追尾点に対応する複数のエコーが近接または接触して、複数のエコーが融合してしまう場合に、追尾を誤ってしまうことがある。これは、従来のレーダ装置では、融合を精度良く判定できなかったことの影響が大きい。
【０００６】
したがって、本発明の目的は、複数のエコーの融合を精度良く判定することにある。
【課題を解決するための手段】
【０００７】
この発明の追尾装置は、追尾データベースと融合判定部とを備える。追尾データベースは、複数の追尾点を記憶している。融合判定部は、追尾データベースに記憶されている複数の追尾点と、物標を表す複数のエコーデータによって構成される検出エコーと、を用いて、複数の検出エコーの融合を判定する。
【０００８】
この構成では、複数の追尾点と検出エコーの領域との位置関係だけで、融合が判定される。したがって、融合の判定は、この判定に影響を与える検出エコーの面積の変動の影響を受けない。
【発明の効果】
【０００９】
この発明によれば、複数のエコーの融合を精度良く判定できる。
【図面の簡単な説明】
【００１０】
【図１】追尾処理部の構成を示すブロック図である。
【図２】追尾処理部を含むレーダ装置の構成を示すブロック図である。
【図３】融合時、非融合時のエコーの変化を示す図である。
【図４】（Ａ）は、融合時の状態および判定概念を示す図であり、（Ｂ）は、非融合時の状態および判定の概念を示す図である。
【図５】追尾処理のおける融合判定のメインフローを示すフローチャートである。
【図６】融合判定のフローチャートである。
【発明を実施するための形態】
【００１１】
本発明の実施形態に係る追尾装置、追尾方法、および、追尾プログラムについて、図を参照して説明する。
【００１２】
図１は、追尾処理部の構成を示すブロック図である。図２は、追尾処理部を含むレーダ装置の構成を示すブロック図である。図３は、融合時、非融合時のエコーの変化を示す図である。図４（Ａ）は、融合時の状態および判定概念を示す図であり、図４（Ｂ）は、非融合時の状態および判定の概念を示す図である。
【００１３】
（レーダ装置９０の構成）
追尾処理部１０を含むレーダ装置９０について、概略的に説明する。図２に示すように、レーダ装置９０は、アンテナ９１、送信部９２、送受切替部９３、受信部９４、エコー検出部９５、追尾処理部１０、表示画像生成部９６、および、表示部９７を備える。なお、レーダ装置９０における追尾処理部１０以外の構成は、既知の構成と略同様であり、以下では簡略的に説明する。そして、追尾処理部１０は、単体の追尾装置として用いることも可能であるが、このように、図２に示すようなレーダ装置９０の一部として用いられる。
【００１４】
送信部９２および受信部９４は、送受切替部９３を介して、アンテナ９１に接続している。受信部９４は、エコー検出部９５に接続している。エコー検出部９５は、追尾処理部１０に接続している。追尾処理部１０は、表示画像生成部９６に接続している。表示画像生成部９６は、表示部９７に接続している。
【００１５】
送信部９２および受信部９４は、例えば、それぞれに電気回路や電子回路によって実現される。送受切替部９３は、例えば、導波管やストリップライン等の分波回路を実現する信号伝送部材によって実現される。エコー検出部９５、追尾処理部１０、および、表示画像生成部９６は、例えば、それぞれに、エコー検出部９５、追尾処理部１０、および、表示画像生成部９６で実行する機能を実現するためのプログラム、このプログラムを記録する記録媒体、および、このプログラムを実行するＣＰＵ等の演算処理装置によって実現される。表示部９７は、例えば、液晶ディスプレイ等によって実現される。
【００１６】
送信部９２は、所定の送信周期で探知信号を生成して出力する。送受切替部９３は、探知信号をアンテナ９１に伝送する。
【００１７】
アンテナ９１は、船舶等の水上移動体に取り付けられている。アンテナ９１は、送信周期よりも長い回転周期で送受波面を回転させながら、探知信号を外部（探知領域）に送信し、そのエコー信号を受信する。
【００１８】
アンテナ９１は、エコー信号を送受切替部９３に出力する。送受切替部９３は、エコー信号を受信部９４に伝送する。
【００１９】
受信部９４は、エコー信号に対して、Ａ／Ｄ変換、増幅処理等の既知の受信処理を行って、エコーデータを生成する。エコーデータは、ＰＰＩ画像を構成する直交座標系に変換される。受信部９４は、例えば、１スキャン分のエコーデータを、エコー検出部９５に順に出力する。なお、１スキャン分のエコーデータとは、アンテナ９１の一回転で得られるエコーデータである。
【００２０】
エコー検出部９５は、エコーデータに対する物標検出用の閾値を予め記憶している。エコー検出部９５は、各位置のエコーデータと物標検出用の閾値とを比較する。エコー検出部９５は、物標検出用の閾値以上のレベル（エコー信号の信号強度に対応）のエコーデータを、物標のエコーデータとして検出する。
【００２１】
エコー検出部９５は、複数の物標のエコーデータの集まりを検出エコーとして設定する。より具体的には、例えば、エコー検出部９５は、直交座標系においてＸ方向またはＹ方向に連続する複数の物標のエコーデータの集まりを、検出エコーとして設定する。この際、エコー検出部９５は、複数の物標のエコーデータの集まりを検出する毎に、この集まりに対して検出エコーを設定する。そして、エコー検出部９５は、各検出エコーに対して個別の識別情報を添付する。
【００２２】
エコー検出部９５は、エコーデータと検出エコーとを、追尾処理部１０に出力する。
【００２３】
追尾処理部１０は、詳細は後述するが、検出エコーの領域を検出する。追尾処理部１０は、複数の検出エコーが存在する場合、追尾点と検出エコーの領域とを用いて、複数の検出エコーの融合を判定する。追尾処理部１０は、融合の判定結果に基づいて、追尾点の位置、速度等を含む追尾情報を生成する。また、場合に応じて、追尾処理部１０は、融合の判定結果に基づいて、エコーデータの加工（エコーデータの分離等）を行うことも可能である。追尾処理部１０は、エコーデータおよび追尾情報を表示画像生成部９６に出力する。
【００２４】
表示画像生成部９６は、エコーデータおよび追尾情報を用いて、航行支援用の表示画像を生成する。例えば、表示画像生成部９６は、１スキャン分の表示画像を構成するエコーデータのそれぞれに対して、レベルに応じて輝度や色を設定することで、エコー画像を生成する。さらに、表示画像生成部９６は、追尾情報に基づく追尾点、予測航跡等をエコー画像に重畳させることによって、航行支援用の表示画像を生成する。
【００２５】
表示画像生成部９６は、航行支援用の表示画像を、表示部９７に出力する。表示部９７は、航行支援用の表示画像を表示する。
【００２６】
（追尾処理部１０の構成および処理）
図１に示すように、追尾処理部１０は、外枠検出部１１、融合判定部１２、追尾情報生成部１３、および、追尾データベース（追尾ＤＢ）１２０を備える。なお、追尾処理部１０が本発明の「追尾装置」に対応する。しかしながら、本発明の「追尾装置」は、最小限の構成として、融合判定部１２、および、追尾データベース（追尾ＤＢ）１２０を備えていればよい。
【００２７】
追尾データベース１２０には、既に追尾している追尾点の追尾情報（識別情報、座標、速度等）が記憶されている。なお、追尾データベース１２０は、追尾情報生成部１３の出力によって逐次更新されている。すなわち、追尾データベース１２０には、前回までの追尾点の検出結果および融合の判定結果が反映された追尾点の識別情報および座標が記憶されている。また、追尾データベース１２０は、後述の融合の判定対象となる複数の追尾点の追尾情報を、少なくとも記憶していればよい。ただし、追尾中の全点の追尾情報を記憶している方が、融合判定は、より効果を発する。
【００２８】
外枠検出部１１には、検出エコーが入力される。外枠検出部１１は、検出エコーの外枠（検出エコーの領域に相当する）を検出する。外枠検出部１１は、検出エコーの外枠を、融合判定部１２に出力する。
【００２９】
具体的な外枠の検出方法の一例を、図３を用いて説明する。外枠検出部１１には、検出エコーＥＣ１と検出エコーＥＣ２とが入力されている。
【００３０】
外枠検出部１１は、検出エコーＥＣ１の外縁を形成する複数のエコーデータ（外縁エコーデータ）ＯＰ１を抽出する。外縁エコーデータＯＰ１は、例えば、検出エコーＥＣ１を構成し、直交座標系において連続する複数のエコーデータの内の端部のエコーデータによって検出が可能である。
【００３１】
外枠検出部１１は、複数の外縁エコーデータＯＰ１を連続的に接続し、検出エコーＥＣ１を略囲む形状であって、環状で線状の外枠ＯＦ１を設定する。外枠ＯＦ１は、例えば、複数の外縁エコーデータＯＰ１の座標をそれぞれ取得し、近接する外縁エコーデータＯＰ１を結ぶ線分を順次設定することによって、設定できる。
【００３２】
同様に、外枠検出部１１は、検出エコーＥＣ２における複数の外縁エコーデータＯＰ２を抽出し、複数の外縁エコーデータＯＰ２から外枠ＯＦ２を設定する。
【００３３】
融合判定部１２は、追尾データベース１２０から、追尾点を抽出する。融合判定部１２は、抽出した追尾点に対して、融合の判定タイミングにおける位置を予測する。例えば、融合判定部１２は、追尾データベース１２０から抽出した追尾点の位置と速度、記憶されている追尾点の設定時刻と融合の判定タイミングの時刻との時間差とから、融合の判定タイミングにおける追尾点の位置を予測する。すなわち、融合判定部１２は、抽出した追尾点の位置に対して、速度に時間差を乗算した距離を加算することによって、融合の判定タイミングにおける追尾点の位置を予測する。
【００３４】
融合判定部１２は、追尾点の予測位置と、検出エコーの外枠との関係を検出する。具体的には、融合判定部１２は、複数の検出エコーのそれぞれに対して、外枠内に存在する追尾点の個数を算出する。
【００３５】
融合判定部１２は、１つの検出エコーに含まれる追尾点の個数が１個であれば、この追尾点の位置を含む検出エコーは融合していないと、判定する。融合判定部１２は、１つの検出エコーに含まれる追尾点の個数が複数個であれば、この追尾点の位置を含む検出エコーは複数の検出エコーが融合したものであると、判定する。
【００３６】
具体的な融合の判定方法の一例を、図３を参照して説明する。
【００３７】
［時刻１］
図３（ｔ１）に示すように、追尾点の位置（予測位置）ＴＰ１は、検出エコーＥＣ１の外枠ＯＦ１によって囲まれる領域Ｒｅ１の内部にある。また、時刻ｔ１では、検出エコーＥＣ１の外枠ＯＦ１によって囲まれる領域Ｒｅ１の内部には、他の追尾点はない。したがって、検出エコーＥＣ１の外枠ＯＦ１によって囲まれる領域Ｒｅ１の内部には、追尾点は１個だけ存在する。
【００３８】
追尾点の位置（予測位置）ＴＰ２は、検出エコーＥＣ２の外枠ＯＦ２によって囲まれる領域Ｒｅ２の内部にある。また、検出エコーＥＣ２の外枠ＯＦ２によって囲まれる領域Ｒｅ２の内部には、他の追尾点はない。したがって、検出エコーＥＣ２の外枠ＯＦ２によって囲まれる領域Ｒｅ２の内部には、追尾点は１個だけ存在する。
【００３９】
この場合、図３（ｔ１）に示すように、検出エコーＥＣ１と検出エコーＥＣ２とは、融合していない。すなわち、時刻ｔ１では、検出エコーＥＣ１と検出エコーＥＣ２とは、融合していない。
【００４０】
［時刻ｔ２］
図３（ｔ２）に示すように、また、時刻ｔ１の場合と同様に、時刻ｔ２では、検出エコーＥＣ１の外枠ＯＦ１の内部の領域Ｒｅ１には、追尾点が１個であり、検出エコーＥＣ２の外枠ＯＦ２の内部の領域Ｒｅ２には、追尾点が１個である。
【００４１】
この場合、図３（ｔ２）に示すように、検出エコーＥＣ１と検出エコーＥＣ２とは、融合していない。すなわち、時刻ｔ２では、検出エコーＥＣ１と検出エコーＥＣ２とは、融合していない。
【００４２】
［時刻ｔ３］
図３（ｔ３）に示すように、検出エコーＥＣ１と検出エコーＥＣ２とが近接している。この場合、複数の外縁エコーデータＯＰ１２によって構成される外枠ＯＦ１２は、検出エコーＥＣ１と検出エコーＥＣ２の両方を同時に含むものとなる。
【００４３】
ここで、位置ＴＰ１の追尾点が検出エコーＥＣ１のものであれば、追尾点の位置ＴＰ１は、通常、検出エコーＥＣ１の領域内にある。また、位置ＴＰ２の追尾点が検出エコーＥＣ２のものであれば、追尾点の位置ＴＰ２は、通常、検出エコーＥＣ２の領域内にある。したがって、外枠ＯＦ１２の内部の領域Ｒｅ１２には、追尾点が２個、すなわち、複数ある。
【００４４】
この場合、図３（ｔ３）に示すように、検出エコーＥＣ１と検出エコーＥＣ２とは融合している。すなわち、時刻ｔ３では、検出エコーＥＣ１と検出エコーＥＣ２とは融合している。
【００４５】
［時刻ｔ４］
図３（ｔ４）に示すように、検出エコーＥＣ１と検出エコーＥＣ２とが近接して、部分的に重なっている。この場合、複数の外縁エコーデータＯＰ１２によって構成される外枠ＯＦ１２は、検出エコーＥＣ１と検出エコーＥＣ２の両方を同時に含むものとなる。
【００４６】
ここで、追尾点の位置ＴＰ１は、通常、検出エコーＥＣ１の領域内にある。また、追尾点の位置ＴＰ２は、通常、検出エコーＥＣ２の領域内にある。したがって、外枠ＯＦ１２の内部の領域Ｒｅ１２には、追尾点が２個、すなわち、複数ある。
【００４７】
この場合、図３（ｔ４）に示すように、検出エコーＥＣ１と検出エコーＥＣ２とは融合している。すなわち、時刻ｔ４では、検出エコーＥＣ１と検出エコーＥＣ２とは融合している。
【００４８】
［時刻ｔ５］
図３（ｔ５）に示すように、検出エコーＥＣ１と検出エコーＥＣ２とは、再び離れている。この場合、追尾点の位置ＴＰ１は、検出エコーＥＣ１の外枠ＯＦ１によって囲まれる領域Ｒｅ１の内部にある。また、検出エコーＥＣ１の外枠ＯＦ１によって囲まれる領域Ｒｅ１の内部には、他の追尾点はない。したがって、検出エコーＥＣ１の外枠ＯＦ１によって囲まれる領域Ｒｅ１の内部には、追尾点は１個だけ存在する。
【００４９】
同様に、追尾点の位置ＴＰ２は、検出エコーＥＣ２の外枠ＯＦ２によって囲まれる領域Ｒｅ２の内部にある。また、検出エコーＥＣ２の外枠ＯＦ２によって囲まれる領域Ｒｅ２の内部には、他の追尾点はない。したがって、検出エコーＥＣ２の外枠ＯＦ２によって囲まれる領域Ｒｅ２の内部には、追尾点は１個だけ存在する。
【００５０】
この場合、図３（ｔ５）に示すように、検出エコーＥＣ１と検出エコーＥＣ２とは、融合していない。すなわち、時刻ｔ５では、検出エコーＥＣ１と検出エコーＥＣ２とは、融合していない。
【００５１】
このように、追尾点の位置ＴＰと外枠ＯＦとの位置関係を用いることによって、融合判定部１２は、複数の検出エコーの融合を精度良く判定できる。このような検出エコーの融合が発生する時は、検出エコーの面積が変動する。しかしながら、追尾点の位置ＴＰと外枠ＯＦと位置関係を用いることによって、この面積の変動に影響されることなく、検出エコーの融合を精度良く判定できる。
【００５２】
なお、追尾点が外枠ＯＦによる領域Ｒｅ内に存在するか否かは、例えば、図４（Ａ）、図４（Ｂ）に示す概念を用いることよって判定できる。
【００５３】
図４（Ａ）は、融合が生じている場合、図４（Ｂ）は、融合が生じていない場合であるが、いずれの場合であっても、同様の方法で、追尾点ＴＰが外枠ＯＦによる領域Ｒｅ内に存在するか否かを判定できる。
【００５４】
図４（Ａ）の場合、追尾点の位置ＴＰ１、ＴＰ２、ＴＰｘを基準点として、直交座標系の一方向に延びる線分をそれぞれ設定する。これらの線分と外枠ＯＦ１２との交点ＣＰ１、ＣＰ２、ＣＰｘを検出する。
【００５５】
追尾点の位置ＴＰ１、ＴＰ２のように、追尾点が外枠ＯＦ１２による領域Ｒｅ１２内に存在すれば、交点ＣＰ１、ＣＰ２はそれぞれ１個になる。一方、追尾点の位置ＴＰｘのように、追尾点が外枠ＯＦ１２による領域Ｒｅ１２外に存在すれば、交点ＣＰｘは複数（この場合、２個）になる。
【００５６】
図４（Ｂ）の場合、追尾点の位置ＴＰ１を基準点として、直交座標系の一方向に延びる線分をそれぞれ設定する。この線分と外枠ＯＦ１との交点ＣＰ１を検出する。追尾点の位置ＴＰ１のように、追尾点が外枠ＯＦ１による領域Ｒｅ１内に存在すれば、交点ＣＰ１は１個になる。
【００５７】
同様に、図４（Ｂ）の場合、追尾点の位置ＴＰ２を基準点として、直交座標系の一方向に延びる線分をそれぞれ設定する。この線分と外枠ＯＦ２との交点ＣＰ２を検出する。追尾点の位置ＴＰ２のように、追尾点が外枠ＯＦ２による領域Ｒｅ２内に存在すれば、交点ＣＰ２は１個になる。
【００５８】
このように、外枠に対する交点が奇数個の場合、追尾点は、外枠による領域内に存在すると判定できる。一方、外枠に対する交点が偶数個の場合、追尾点は、外枠による領域外に存在すると判定できる。したがって、追尾点と外枠との位置関係は、正確に判定できる。
【００５９】
融合判定部１２は、融合の判定結果を、追尾情報生成部１３に出力する。言い換えれば、融合判定部１２は、追尾データベース１２０に記憶された複数の追尾点の内、融合された検出エコーの範囲内にある追尾点を示す情報を、追尾情報生成部１３に出力する。
【００６０】
追尾情報生成部１３は、融合の判定結果を用いて、追尾情報を生成する。追尾情報とは、例えば、追尾点の位置または予測位置、追尾点の速度または予測速度を含む。
【００６１】
（融合が無い場合）
追尾情報生成部１３は、例えば、今回設定した複数の検出エコーの代表点を検出する。追尾情報生成部１３は、追尾データベース１２０に記憶されている前回までの追尾点の位置および速度と、代表点とから、この前回までの追尾点に関連する今回の追尾点を設定する。例えば、追尾情報生成部１３は、前回までの追尾点の位置および速度とから、今回の追尾点の位置を推定する。追尾情報生成部１３は、推定した追尾点と代表点の類似性を検出し、最も類似する代表点を新たな追尾点に設定する。また、追尾情報生成部１３は、前回の追尾点の位置と今回の追尾点の位置とから予測速度を算出する。
【００６２】
（融合がある場合）
追尾情報生成部１３は、例えば、今回設定した複数の検出エコーの内、融合と判定された検出エコーを、今回の追尾点の設定に用いない。そして、追尾情報生成部１３は、前回までの追尾点の位置および速度を用いて、今回の追尾点の位置および速度を推定する。
【００６３】
このように、融合した複数の検出エコーを用いないことで、追尾点の誤設定、すなわち、物標の誤追尾を抑制できる。
【００６４】
追尾情報生成部１３は、設定、算出または推定した追尾点の位置および速度を、表示画像生成部９６に出力する。この際、追尾情報生成部１３は、追尾点毎の予測航跡を、既知の方法で推定して、表示画像生成部９６に出力してもよい。
【００６５】
これらにより、表示画像生成部９６は、誤追尾が抑制された追尾点を含む表示画像を生成できる。
【００６６】
また、追尾情報生成部１３は、これらの情報とともに、エコーデータを表示画像生成部９６に出力する。しかしながら、追尾情報生成部１３は、融合があると判定された検出エコーを構成するエコーデータを削除し、表示画像生成部９６に出力しないようにしてもよい。これにより、表示画像生成部９６は、融合された検出エコーを除去した表示画像を生成できる。
【００６７】
追尾情報生成部１３は、設定、算出または推定した追尾点の位置および速度を、追尾データベース１２０にフィードバックする。これにより、追尾データベース１２０には、融合の判定結果が反映した、より確からしい追尾点が記憶される。したがって、後の追尾点の推定の精度も向上する。
【００６８】
上述の説明では、複数の機能部によって、複数の検出エコーの融合を判定する処理を実現する態様を示したが、上述の融合の判定処理をプログラム化して記憶媒体等に記憶しており、ＣＰＵ等の演算処理装置が当該プログラムを読み出して実行する態様であってもよい。この場合、次の図５、図６に示す処理を実行すればよい。
【００６９】
図５は、追尾処理のおける融合判定のメインフローを示すフローチャートである。図６は、融合判定のフローチャートである。なお、各処理の具体的な内容は、ほぼ上述しているので、上述している内容については説明を省略する。
【００７０】
図５に示すように、演算処理装置は、予め記憶している過去の追尾点を取得する（Ｓ１１）。演算処理装置は、複数の検出エコーの外枠を検出する（Ｓ１２）。
【００７１】
演算処理装置は、追尾点と複数の検出エコーの外枠との位置関係から、複数の検出エコーの融合を判定する（Ｓ１３）。具体的には、図６に示すように、演算処理装置は、検出エコー内（外枠内）に存在する追尾点の個数を算出する（Ｓ３１）。演算処理装置は、１つの検出エコー内に存在する追尾点の個数が複数であれば（Ｓ３２：ＹＥＳ）、複数の検出エコーが融合していると判定する（Ｓ３３）。演算処理装置は、１つの検出エコー内に存在する追尾点の個数が複数でなければ（Ｓ３２：ＮＯ）、複数の検出エコーが融合していないと判定する（Ｓ３４）。
【００７２】
なお、上述の説明では、検出エコーの領域を、検出エコーの外枠を用いて表す態様を示した。しかしながら、ＰＰＩ画像を構成する直交座標系において、検出エコーがどのような位置においてどのような大きさで存在するかを表す他の指標を、外枠に代えて利用することも可能である。
【符号の説明】
【００７３】
１０：追尾処理部
１１：外枠検出部
１２：融合判定部
１３：追尾情報生成部
９０：レーダ装置
９１：アンテナ
９２：送信部
９３：送受切替部
９４：受信部
９５：エコー検出部
９６：表示画像生成部
９７：表示部
１２０：追尾データベース
ＣＰ１、ＣＰ２、ＣＰｘ：交点
ＥＣ１、ＥＣ２：検出エコー
ＯＦ１、ＯＦ１２、ＯＦ２：外枠
ＯＰ１、ＯＰ１２、ＯＰ２：外縁エコーデータ
Ｒｅ１、Ｒｅ１２、Ｒｅ２：領域
【図１】
2020056702.tif 000003
【図２】
2020056702.tif 000004
【図３】
2020056702.tif 000005
【図４】
2020056702.tif 000006
【図５】
2020056702.tif 000007
【図６】
2020056702.tif 000008